(57)【要約】【課題】衣服に花を簡易に体裁よく飾り付けることができる花止め具および衣服の装飾構造を提供する。【解決手段】生地の表面と裏面を貫通する挿入孔２２が形成された衣服２０に、花を取り付けるための花止め具１０であって、挿入孔２２に通された花３０の茎部分３１を挟む一対の挟持部材１１，１１を備えた挟持部と、挟持部の一対の挟持部材１１，１１を、互いに接近するように付勢する付勢手段１５とからなる。衣服２０の挿入孔２２に花３０の茎部分３１を挿入することによって、花３０の花びら３２を衣服２０の表側に配置した状態で、花３０の茎の部分３１を衣服２０の裏側に配置できる。この状態で、花止め具１０の挟持部によって花３０の茎部分３１を、衣服２０の裏側で挟めば、花３０を衣服２０に固定することができる。よって、花止め具１０を衣服２０の表側に露出させずに、花３０を衣服２０に体裁よく飾り付けることができる。【選択図】図１
2004174239.tif 000002
【特許請求の範囲】
【請求項１】
生地の表面と裏面を貫通する挿入孔が形成された衣服に、花を取り付けるための花止め具であって、
前記挿入孔に通された花の茎部分を挟む一対の挟持部材を備えた挟持部と、
該挟持部の一対の挟持部材を、互いに接近するように付勢する付勢手段とからなる
ことを特徴とする花止め具。
【請求項２】
前記付勢手段が、輪状に形成された、弾性を有する本体部を備えており、
該本体部の両端が、前記挟持部の一対の挟持部材にそれぞれ接続されている
ことを特徴とする請求項１記載の花止め具。
【請求項３】
前記本体部が、
その内径が小さくなるように外力を加えると前記一対の挟持部材が離間し、
外力を抜くと、一対の挟持部材が接近するように形成されている
ことを特徴とする請求項１または２記載の花止め具。
【請求項４】
前記一対の挟持部において、互いに対向する面に、互いにかみ合う複数の凹凸が設けられている
ことを特徴とする請求項１、２または３記載の花止め具。
【請求項５】
前記一対の挟持部材を備えた挟持部と、前記付勢手段とが、１本の弾性線材で形成された
ことを特徴とする請求項１、２、３または４記載の花止め具。
【請求項６】
前記衣服において、挿入孔の近傍に、固定用孔が形成されており、
該衣服の固定用孔に挿入して掛止しうる固定部を備えている
ことを特徴とする請求項１、２、３、４または５記載の花止め具。
【請求項７】
衣服を花で装飾する構造であって、
生地に、花の茎部分を挿入するための挿入孔が形成された衣服と、
前記挿入孔に挿入された花の茎部分を、前記衣服にその裏側で固定する請求項１、２、３、４、５または６記載の花止め具とからなる
ことを特徴とする衣服の装飾構造。
【請求項８】
前記衣服が、ドレスの上から重ね合わせて着用するドレス用スカートである
ことを特徴とする請求項７記載の衣服の装飾構造。
【発明の詳細な説明】
【技術分野】
【０００１】
本発明は、花止め具及び衣服の装飾構造に関する。花は様々な場面、場所において、その場面等の華やかさを演出する装飾品として使用される。花を飾り付ける用品としては、室内で飾るのであれば花瓶が一般的に使用され、衣服に飾り付ける場合、従来はコサージュ等として安全ピン等を用いて、飾り付けていた。
そこで本発明は、衣服に花、特に生花を飾り付けるための花止め具及び衣服の装飾構造に関する。
【背景技術】
【０００２】
花を衣服に取り付けて装飾する技術として、従来は生花を用いるのではなく布等で作られた造花でコサージュを作り、安全ピンなどで衣服に取り付けているものがある。しかし、これは、事前に製作されていなければならないものであるため、生花を用いることはできない。そこで、生花を衣服等に取り付ける技術として、従来例１（特許文献１，２）、従来例２（特許文献３、４）記載の技術がある。
【０００３】
従来例１の花止め具は、花を取り付けるための短筒と、この短筒に固定されたクリップとを備えており、短筒に花を挿した状態において、クリップで衣服に止めると、花を衣服に取り付けて飾ることができるものである。
従来例２の花止め具は、突き刺し軸と、固定具とからなる花止め具であって、突き刺し軸の一端に、その軸径よりも外径が大きい頭部が設けられたものである。このため、突き刺し軸で花の中央の花托を突き刺した状態で、対象物に設けられた孔に挿入し、その軸の他端に固定具を取り付ければ、突き刺し軸の頭部と固定具との間に、花と対象物を挟み付けることができ、花を対象物に固定して飾ることができる。
【０００４】
しかるに、従来例１の花止め具では、花を挿した短筒のクリップを用いて衣服を挟んで固定するものである。このため、花を取り付けたときに、必ずクリップや短筒の一部が衣服の表面に配置され、見栄えや体裁が悪いという問題がある。
また、このような構造のものはせいぜい衣服のポケット部分にクリップを挟むことができる程度で、たくさんの花を、衣服の様々な部分に飾り付けるということができない。
さらに、短筒に花の茎部分を挿入する構造では、茎部分がある程度の太さや長さを有する花しか使用ができず、多種多様な花の中から任意の花を選ぶことができないという問題もある。
【０００５】
従来例２の花止め具では、花に突き刺し軸を突き刺した状態で、突き刺し軸を対象物の孔に通し、突き刺し軸の頭部と固定具とで花と対象物を挟みつけるものであるので、軸を挿通できる孔が設けられている対象物であれば、どのような対象物であっても、花を取り付けることができる。しかし、突き刺し軸は花の中央、特に花托に突き刺すものであるので、生花に傷をつけることとなり、時間の経過による劣化、つまり、花弁自体もしおれたり、腐ったりするまでの時間が速まり、著しく美しさを損なうという問題がある。また、突き刺し軸に備えられた頭部は花の中央に見えるので、生花をあしらったことの美しさの意味を失い、体裁が悪い。また、突き刺しにくい小さな花であったり、まだつぼみの状態である場合には、このような取り付け具によって取り付けることができない。
【０００６】
【特許文献１】実開昭５６−７０８２９号公報
【特許文献２】特開平０９−２０６１８８号公報
【特許文献３】特開２００３−１５９１０５号公報
【特許文献４】特開平０９−２０６１８８号公報
【発明の開示】
【発明が解決しようとする課題】
【０００７】
本発明はかかる事情に鑑み、衣服に花を簡易に体裁よく飾り付けることができる花止め具および衣服の装飾構造を提供することを目的とする。
【課題を解決するための手段】
【０００８】
第１発明の花止め具は、生地の表面と裏面を貫通する挿入孔が形成された衣服に、花を取り付けるための花止め具であって、前記挿入孔に通された花の茎部分を挟む一対の挟持部材を備えた挟持部と、該挟持部の一対の挟持部材を、互いに接近するように付勢する付勢手段とからなるとからなることを特徴とする。
第２発明の花止め具は、第１発明において、前記付勢手段が、輪状に形成された、弾性を有する本体部を備えており、該本体部の両端が、前記挟持部の一対の挟持部材にそれぞれ接続されていることを特徴とする。
第３発明の花止め具は、第１または２発明において、前記本体部が、その内径が小さくなるように外力を加えると前記一対の挟持部材が離間し、外力を抜くと、一対の挟持部材が接近するように形成されていることを特徴とする。
第４発明の花止め具は、第１、２または３発明において、前記一対の挟持部において、互いに対向する面に、互いにかみ合う複数の凹凸が設けられていることを特徴とする。
第５発明の花止め具は、第１、２、３または４発明において、前記一対の挟持部材を備えた挟持部と、前記付勢手段とが、１本の弾性線材で形成された１本の弾性線材で形成されたことを特徴とする。
第６発明の花止め具は、第１、２、３、４または５発明において、前記衣服において、挿入孔の近傍に、固定用孔が形成されており、該衣服の固定用孔に挿入して掛止しうる固定部を備えていることを特徴とする。
第７発明の衣服の装飾構造は、衣服を花で装飾する構造であって、生地に、花の茎部分を挿入するための挿入孔が形成された衣服と、前記挿入孔に挿入された花の茎部分を、前記衣服にその裏側で固定する第１、２、３、４、５または６発明の花止め具とからなることを特徴とする。
第８発明の衣服の装飾構造は、第７発明において、前記衣服が、ドレスの上から重ね合わせて着用するドレス用スカートであることを特徴とする。
【発明の効果】
【０００９】
第１発明によれば、衣服の挿入孔に花の茎部分を挿入することによって、花の花びらを衣服の表側に配置した状態で、花の茎の部分を衣服の裏側に配置できる。この状態で、花止め具の挟持部によって花の茎部分を、衣服の裏側で挟めば、花を衣服に固定することができる。よって、花止め具を衣服の表側に露出させずに、花を衣服に体裁よく飾り付けることができる。
第２発明によれば、前記付勢手段の本体部に外力を加えて、一対の挟持部材が離間するように変形させれば、衣服の挿入孔に挿入された花の茎部分を、開かれた挟持部材間に配置することができる。外力を加えるのを止めると、付勢手段の弾性力により一対の挟持部材が接近するので、花の茎部分を挟むことができ、衣服の裏側に固定することができるため、花を簡単に衣服に取り付けることができる。また、取り付ける生花は、茎部分が衣服の裏側に突出させることができ、かつ、一対の挟持部材によって挟むことができるだけの長さがあればよいので、茎部分が短く細いものや、小さな花やまだつぼみの状態にあるものなど、多様な種類の生花を飾りつけることができる。
第３発明によれば、指等によって付勢手段に対して外側から内側に外力を加えることにより、一対の挟持部材が離間するから、衣服の挿入孔に挿入された花の茎部分を、開かれた挟持部材間に配置することができる。外力を加えるのを止めると、付勢手段の弾性力により一対の挟持部材が接近するため、花の茎部分を挟んで衣服の裏側に固定することができるので、片手でも花を衣服に容易に取り付けることができる。
第４発明によれば、一対の挟持部材の対向する面に、互いにかみあうように複数の凹凸が設けられているので、一対の挟持部材によって花の茎部分をしっかりと保持することができ、容易にはずれることはない。
第５発明によれば、挟持部の輪部分の弾性力によって、一対の挟持部材の間で、花の茎部分を支持することができる。しかも、１本の弾性線材を曲げて形成したものであるから、軽くすることができ、簡単に製造することができる。
第６発明によれば、衣服の挿入孔の近傍に固定用孔が形成され、前記衣服の固定用孔に挿入して掛止しうる固定部が連結されているのであるから、花止め具の位置を固定して花を一定の位置に保ち、花の重み等で花が回転することを防ぎ、体裁良く花を衣服に取り付けることができる。
第７発明によれば、衣服の挿入孔に花の茎を通せば、花止め具によって花の茎部分を衣服の裏で固定することができるので、衣服に生花を美しく体裁良く飾り付けることができる。また、花および花止め具を簡単に着脱することができるから生花を取り付けるのに手間取らず、新鮮な生花を衣服に飾ることができる。さらに、衣服に孔の箇所を多く設けると、たくさんの花を都合の良い場所に飾り付けることができ、豪華で美しい衣服にすることができる。
第８発明によれば、衣服がドレス用スカートであるから、ドレスを着用したまま、その上に重ねて着用することができる。このため、ドレスに孔を形成させずにドレスを花で装飾することができる。
【発明を実施するための最良の形態】
【００１０】
つぎに、本発明の実施形態を図面に基づき説明する。
図１は本実施形態の花止め具１０の単体図であって、（Ａ）は正面図であり、（Ｂ）はＢ−Ｂ線矢視図である。図２は本実施形態の花止め具１０に、作用説明図であって、（Ａ）は斜視図であり、（Ｂ）は正面図であり、（Ｃ）はＣ−Ｃ線矢視図である。図３は、本実施形態の花止め具１０の使用説明図である。図４は、本実施形態の花止め具１０の概略斜視図であって、（Ａ）は製作前の花止め具１０であり、（Ｂ）は製作後の花止め具１０である。図５は花止め具１０を使用した衣服の服飾構造と外観図である。図６は衣服の服飾構造の外観図である。
【００１１】
本発明の花止め具は、衣服や帽子等に花を飾り付けるためのものであって、とくに生花の飾り付けに適するような構成としたことに特徴を有するものである。
【００１２】
図１および図２において、符号１６は、本実施形態の花止め具１０の付勢手段１５の本体部を示している。この本体部１６は、正面視で輪状であって、弾性を有するように形成されている。具体的には、本体部１６は、その側面に外方から内方に設けて力を加えると（図２では矢印Ｐの方向）、その内径Ｄが小さくなるように変形し（図２（Ｂ））、力を抜くと元の状態に戻るように形成されているのである（図１（Ａ））。
この本体部１６の素材には、例えば、プラスティックや金属等の弾性を有する素材であればどのような素材であっても使用することができるが、プラスティック等の軽い素材を使用すれば、花止め具１０の重量を軽くすることができるので花止め具１０が取り付けられた衣服等を着用しやすくなり好適である。
【００１３】
図１および図２に示すように、前記本体部１６の一対の端部には、一対の摺動部１７，１７が、正面視で、その先端部同士が重なり合うようにそれぞれ形成されている。この一対の摺動部１７，１７は、その厚さＴが、本体部１６の他の部分の厚さＴ１の半分となるように形成されており、しかも、その先端部同士を重なり合わせた状態において、本体部１６にねじれが生じないように形成されている。具体的には、一対の摺動部１７，１７の互いに対向する面が、本体部１６の厚さ方向の中央（図１では線ＣＰの位置）で接触するように形成されているのである。
このため、本体部１６の側面に力を加えたり抜いたりして本体部１６を変形させたときに、一対の摺動部１７，１７を、その互いに対向する面が接触した状態で移動させることができるから（図２（Ｃ））、本体部１６をその幅方向（図１および図２では左右方向）に沿ってスムースに変形させることができる。
【００１４】
図１および図２に示すように、一対の摺動部１７，１７の内端面（図１（Ａ）および図２（Ｂ）では下面）には、一対の挟持部材１１，１１がそれぞれ立設されている。この一対の挟持部材１１，１１は、互いに対向する面を有する板状の部材であって、この対向する面同士が、前記本体部１６の側面に力が加わっていない状態において、互いに接触するように配設されている。言い換えれば、一対の挟持部材１１，１１は、前記本体部１６の側面に力が加わっていない状態では、両者が引っ掛かった状態となるように形成されているのである。
【００１５】
上記のごとき構成であるから、本実施形態の花止め具１０は、付勢手段１５の本体部１６に対して外側から内側に向けて外力を加えると、本体部１６が、その内径Ｄが小さくなるように変形するから、一対の挟持部材１１，１１を離間させることができる。そして、内径Ｄが小さくなるように変形した状態から、外力を加えるのを止めると、本体部１６が弾性力により元の形状に戻るから、一対の挟持部材１１，１１同士が再び接近し、その対向する面同士が接触するのである。
【００１６】
つぎに、花止め具１０の使用方法について説明する。
図３において、符号２０は花が取り付けられる衣服を示している。この衣服２０は、その表面と裏面と貫通する挿入孔２２が形成されたものである。
図３に示すように、本実施形態の花止め具１０を使用して衣服２０に花を取り付ける場合、まず、花３０を、その花びら３２が衣服２０の表側に位置するように茎部分３１を挿入孔２２に挿入し、茎部分３１が衣服２０の裏側に突出するように配置する。
ついで、付勢手段１５の本体部１６を指などで掴んで、本体部１６の両側方から力を加えると、本体部１６がその内径Ｄが小さくなるように変形する（図２（Ｂ）参照）。すると、一対の挟持部材１１，１１が離間し、両者の間に隙間ができるので、その隙間に花３０の茎部分３１を配置する。
そして、一対の挟持部材１１，１１の間に花３０の茎部分３１を配置してから、本体部１６から指を離す、つまり、本体部１６に外力を加えるのを止めれば、本体部１６は、その弾性力により元の形状に戻るから、一対の挟持部材１１，１１は互いに接近し、一対の挟持部材１１，１１によって花３０の茎部分３１が挟まれる。すると、花３０の茎部分３１に本実施形態の花止め具１０が固定されるから、花止め具１０によって花３０の茎部分３１が挿入孔２２から抜け落ちること防ぐことができ、花３０を衣服２０に取り付けることができる。
【００１７】
上記のごとく、本実施形態の花止め具１０によれば、花３０の花びら３２を衣服２０の表面に配置した状態で、花止め具１０によって花３０の茎部分３１を衣服２０の裏側で挟めば、花３０を衣服２０に容易に取り付けることができる。しかも、花止め具１０は衣服２０の裏側に配置されているから、花止め具１０を衣服２０の表面に露出させずに花３０を衣服２０に飾り付けることができ、最も美しい花３０の花びら３２の部分を衣服２０の表面に体裁良く飾り付けることができる。
また、付勢手段１５の本体部１６に外力を加えて変形させて一対の挟持部材１１，１１が離間させ、両者の間に花３０の茎部分３１を配置した後、本体部１６に外力を加えるのを止めるだけで、花止め具１０を花３０の茎部分３１に取り付けることができるから、花３０を簡単に衣服２０に取り付けることができる。そして、取り付ける生花は、茎部分３１が衣服２０の裏側に突出させることができ、かつ、一対の挟持部材１１，１１によって挟むことができるだけの長さがあればよいので、茎部分３１が短く細いものや、小さな花やまだつぼみの状態にあるものなど、多様な種類の生花を衣服２０飾りつけることができる。衣服２０に取り付けることができる花３０としては、例えば、カトレア、デンファレ、デンドロビューム、シプリペディム、胡蝶蘭、バンダ、シンビジューム、エビネ蘭等の蘭花、菊、バラ、カーネーションなどの生花が好ましいが、特に限定はなく、造花であってもよい。
【００１８】
なお、一対の挟持部材１１，１１は、互いに対向する面間に花の茎部分を挟むことができる程度の長さと厚さがあればよい。そして、一対の挟持部材１１ ,１の長さと厚さは、例えば、長さは１０mmから３０mm程度が好適であり、厚さは、５mmから２０mm程度が好適である。
なお、一対の挟持部材１１，１１の形状は板状に限られず、花３０の茎部分３１を挟むことができる形状であればよく、特に限定はない。
【００１９】
また、図１および図２に示すように、一対の挟持部材１１，１１の互いに対向する面に、互いにかみ合う複数の凹凸を設けてもよい。この場合、花３０の茎部分３１を凹凸によってよりしっかりと固定することができるので、花３０の重みで装飾した位置がずれたり、花３０の茎部分３１が、一対の挟持部材１１，１１間から抜け落ちたりすることを防止することができる。
【００２０】
さらに、図１および図２に示すように、付勢手段１５の本体部１６外面の適所に、突起状に形成された固定部１８を設けてもよい。図３に示すように、衣服２０に設けられている挿入孔２２の近傍に、例えば直径１〜２ｍｍ程度の固定用孔２３を形成しておき、花３０の茎部分３１を花止め具１０の挟持部１１で挟んだ状態で、固定部１８を衣服２０の固定用孔２３に挿入すれば、花止め具１０が花３０の茎部分３１とともに、花３０の茎部分３１周りに回転することを防ぐことができる。
したがって、花３０の重み等で花３０の茎部分３１が挿入孔２２内で回転することを防ぐことができるから、花３０の重みで装飾した位置や向きがずれたりすることを防止することができる。
なお、固定部１８は、衣服２０の固定用孔２３に挿入できるものであれば、形状はどのようなものであっても良いし、本体部１６のどの位置に接続されていても良い。また、固定用孔２３は、花止め具１０の固定部１８を挿入することができ、かつ簡単に抜け落ちない大きさであればよく、花止め具１０の固定部１８の太さに応じて決めればよい。
【００２１】
本実施形態の花止め具１０は、初めから図１に示すような形状に成形して形成してもよいが、図４（Ａ）に示すような形状、つまり、一対の挟持部材１１，１１が引っ掛り合っておらず両者の間が大きく開いた状態に成形してから、一方の挟持部材１１を矢印Ａの方向に移動させて、他方の挟持部材１１に引っ掛るように変形させて製造してもよい。そして、後者の場合には、一対の挟持部材１１，１１同士が引っ掛り合った状態において、本体部１６から一対の挟持部材１１，１１同士を接触させる方向に力が加わるからから、花３０の茎部分３１を挟んでおく力を強くすることができ、花止め具１０を花３０の茎部分３１をより確実に固定することができる。
【００２２】
つぎに、上記の花止め具１０を使用した衣服２０の装飾構造を説明する。
図６において、符号２０は、花止め具１０によって花３０が取り付けられる衣服を示している。この衣服２０には、衣服生地２１の全面に、花３０の茎部分３１を挿入するための挿入孔２２が多数形成されている。
この複数の挿入孔２２は、隣接する挿入孔２２同士の間隔が、例えば５０〜100 ｍｍ程度となるように形成されている。なお、挿入孔２２同士の間隔は、飾り付けるべき花３０の大きさに応じて決めればよく、とくに限定はない。
各挿入孔２２は、その直径は、例えば３〜５ｍｍ程度であるが、飾り付けるべき花３０の茎部分３１を挿入できる大きさであればよく、とくに限定はない。
【００２３】
図５に示すように、前記衣服２０の各挿入孔２２に、衣服２０の表面から花３０の茎部分３１を挿入し、衣服２０の裏側で前記花止め具１０によって花３０の茎部分３１を挟めめば、衣服２０に多数の花３０を取り付けることができる。よって、花止め具１０を衣服２０の表面に露出させずに、花３０を衣服２０に飾り付けることができるため、最も美しい花の部分のみを衣服の表面に体裁良く飾り付けることができる。
しかも、前記花止め具１０から花３０の茎部分３１を解放すれば、衣服２０から花３０および花止め具１０を簡単に取り外すことができ、生花の取り付けに手間取らないので、新鮮な生花を衣服に飾ることができるし、簡単に片づけることもできる。
さらに、挿入孔２２を設ける箇所を多くすれば、たくさんの花３０を都合の良い場所に飾り付けることができるから、豪華で美しい衣服２０にすることができる。
【００２４】
そして、上記のごとき衣服２０の装飾構造を、ドレス２の上から重ね合わせて着用するドレス用スカート２９に適用すれば、ドレス２を着用したまま、その上に重ねて着用することができるから、ドレス２に花３０の茎部分３１を通すための孔を形成しなくても、ドレス２を花３０で装飾することができる。
【００２５】
つぎに、他の実施形態の花止め具４０について説明する。
図７は本発明の他の本実施形態の花止め具４０の単体図であって、（Ａ）は正面図であり、（Ｂ）は側面図である。図８は、他の実施形態の花止め具４０の作用説明図である。図９は花止め具４０の使用説明図である。
【００２６】
図７および図８に示すように、他の本実施形態の花止め具４０は、上述した花止め具１０と実質同様の構成を有するものであり、花止め具１０の付勢手段１５の本体部１６や固定部１８、一対の挟持部材１１，１１を、１本の弾性線材を曲げて形成したものである。なお、弾性線材の素材としては、針金等の金属が一般的であるが、針金等の金属だけでなく、合成樹脂であってもよく、弾性を有する素材であればよい。また、軽い素材の弾性線材を採択すれば、花止め具４０を軽くすることができるので花止め具４０が取り付けられた衣服２０を着用しやすくなり好適である。
【００２７】
図７および図８において、符号１６は、花止め具４０の付勢手段４５の本体部を示している。この本体部４６は、弾性線材を曲げて輪状にして形成されている。
この本体部４６の両方の軸端部は、本体部４６の内方、つまり本体部４６の中心に向かって折り曲げられており、その折り曲げられた部分と軸端との間にが、それぞれ把持部材４１が形成されている。
そして、本体部４６の軸端部における折り曲げられた部分46a は、正面視で互いに重なりあうように形成されている。
【００２８】
このため、花止め具４０の本体部４６を左右から中央に向けて押すと、本体部４６がその内径が小さくなるように変形し（図８）、一対の挟持部材４１，４１間が開いて隙間Ｓが形成される。そして、力を抜くと、本体部４６が弾性力によって元の形状に戻るから、一対の挟持部材４１，４１間の隙間が小さくなる。
【００２９】
よって、図９に示すように、花３０の茎部分３１が衣服２０の裏側に突出するように配置し、花止め具４０の本体部４６を指などで掴んで、本体部４６の両側方から力を加えて一対の挟持部材４１，４１間に隙間Ｓを形成し、その隙間に花３０の茎部分３１を配置した後、本体部１６から指を離せば、一対の挟持部材１１，１１によって花３０の茎部分３１が挟むことができる。すると、花３０の茎部分３１に花止め具４０が固定されるから、花止め具４０によって花３０の茎部分３１が挿入孔２２から抜け落ちること防ぐことができ、花３０を衣服２０に取り付けることができる。
【００３０】
なお、一方の挟持部材１１の中間部に膨らみ部分４１cを形成すれば、花３０の茎部分３１を挟持部材１１間に挿入しやすくすることができるので好適である。
【００３１】
また、図７および図８に示すように、一方の挟持部材１１を、その先端部が本体部４６の外方に位置するような形状とすれば、その先端部を固定部４８として使用することができる。すると、図９に示すように、衣服２０に設けられている挿入孔２２の近傍に、例えば直径１〜２ｍｍ程度の固定用孔２３を形成しておき、花３０の茎部分３１を花止め具４０の一対の挟持部材１１，１１で挟んだ状態で、固定部４８を衣服２０の固定用孔２３に挿入すれば、花止め具４０が花３０の茎部分３１とともに、花３０の茎部分３１周りに回転することを防ぐことができる。
なお、図７および図８に示すように、固定部４８は、一方の挟持部材１１の先端部を折り曲げて、挟持部材１１の基端部側、つまり本体部４６の折り曲げられた部分46a 側に配置してもよいし、一方の挟持部材１１の先端部を折り曲げずに、挟持部材１１の基端部の反対側に配置してもよく、とくに限定はない。
【産業上の利用可能性】
【００３２】
本発明の花止め具は、花を衣服に取り付けるためだけでなく、種々の物品を挟んで固定することも使用可能であり、特に、軸状の部材の固定に好適である。
【図面の簡単な説明】
【００３３】
【図１】本実施形態の花止め具１０の単体図であって、（Ａ）は正面図であり、（Ｂ）はＢ−Ｂ線矢視図である。
【図２】本実施形態の花止め具１０に、作用説明図であって、（Ａ）は斜視図であり、（Ｂ）は正面図であり、（Ｃ）はＣ−Ｃ線矢視図である。
【図３】本実施形態の花止め具１０の使用説明図である。
【図４】本実施形態の花止め具１０の概略斜視図であって、（Ａ）は製作前の花止め具１０であり、（Ｂ）は製作後の花止め具１０である。
【図５】花止め具１０を使用した衣服の服飾構造と外観図である。
【図６】衣服の服飾構造の外観図である。
【図７】他の実施形態の花止め具４０の単体正面図である。
【図８】他の実施形態の花止め具４０の作用説明図である。
【図９】他の実施形態の花止め具４０の使用説明図である。
【符号の説明】
【００３４】
１０      花止め具
１１      挟持部材
１５      付勢手段
１６      本体部
１８      固定部
２０      衣服
２２      挿入孔
２３      固定用孔
４０      花止め具
４１      挟持部材
４５      付勢手段
４６      本体部
４８      固定部
【図１】
2004174239.tif 000003
【図２】
2004174239.tif 000004
【図３】
2004174239.tif 000005
【図４】
2004174239.tif 000006
【図５】
2004174239.tif 000007
【図６】
2004174239.tif 000008
【図７】
2004174239.tif 000009
【図８】
2004174239.tif 000010
【図９】
2004174239.tif 000011